(57)【要約】  サッカーロッドポンピングシステムは、ロッド・ストリング上に、任意選択的に、ポンプバレルの下方の磁石バレル内にも取り付けられた著しい単極特性を有する直径方向に帯磁されている希土類磁石を備えている。これらの磁石は、原油との接触をなくすために、ジャケットによって覆われている。これらの磁石は、石油に著しい磁束をもたらし、これによって、既存の機器の改修を最小限に抑え、ロッド・ストリングの運転を実質的に変更することなく、パラフィンおよびアスファルテンの沈澱を実質的になくすことが可能である。
2010540812.tif 000002
【特許請求の範囲】
【請求項１】
流れている流体を磁気的に処理するための装置において、互いに逆の極性を有している少なくとも一整合対の互いに連結された希土類磁石を備えており、前記磁石の各々は、半径方向内側円弧面および半径方向外側円弧面を有しており、前記内側円弧面および前記外側円弧面は、長手方向において軸方向に延在しており、かつ横断方向において、前記内側円弧面を前記外側円弧面に接続する１対の平面を形成するように終端しており、前記磁石の各々は、その内側円弧面および外側円弧面が同一の極性を有すると共に，その１対の平面が、同一の極性であるが、前記円弧面と逆の極性を有するように、直径方向に着磁されており、前記１対の磁石は、前記互いに逆の極性に帯磁されている平面を合わせることによって、互いに連結されており、これによって、前記１対の連結磁石に対して流れる流体が、磁場に晒されるようになっていることを特徴とする装置。
【請求項２】
前記希土類磁石は、ネオジウムを含んでいることを特徴とする請求項１に記載の装置。
【請求項３】
前記連結磁石は、中空円筒を形成しており、流体が、前記円筒の内方または外方を流れるようになっていることを特徴とする請求項１に記載の装置。
【請求項４】
前記流れている流体は、原油、精油、植物油、および水からなる群から選択されるようになっていることを特徴とする請求項１に記載の装置。
【請求項５】
流体を流すための導管であって、前記少なくとも１対の連結磁石を取り囲んで、前記磁石との間に環状空間を形成しており、前記環状空間を通って、流体が前記１対の磁石の外方を流れるようになっている、導管をさらに備えていることを特徴とする請求項１に記載の装置。
【請求項６】
前記導管内を移動するサッカーロッドを有しているサッカーロッドポンピングシステムをさらに備えており、前記１対の磁石は、前記サッカーロッドを囲んで互いに連結されていることを特徴とする請求項５に記載の装置。
【請求項７】
ステンレス鋼ジャケットであって、前記サッカーロッド上の前記１対の磁石を取り囲んで、流体と前記磁石との接触をなくすために、前記サッカーロッドに対してシールされている、ステンレス鋼ジャケットをさらに備えていることを特徴とする請求項６に記載の装置。
【請求項８】
少なくとも1対の磁石を取り囲んでいる、流体を流すための導管をさらに備えており、前記磁石は、前記導管の内面の周りに互いに連結されて、内部中空空間を画定しており、前記内部中空空間を通って、流体が前記１対の磁石の内方を流れるようになっていることを特徴とする請求項１に記載の装置。
【請求項９】
前記装置は、ポンプバレルを備えているサッカーロッドポンピングシステムをさらに有しており、前記導管は、前記ポンプバレルの下方に位置しており、前記装置は、前記１対の磁石の内方を取り囲んでいるステンレス鋼ジャケットであって、流体と前記磁石との接触をなくすために、前記導管に対してシールされている、ステンレス鋼ジャケットをさらに備えていることを特徴とする請求項８に記載の装置。
【請求項１０】
地下貯留層から原油を引き出すためのサッカーロッドポンピングシステムであって、回転運動を生じさせるための原動機と、回転運動を交互運動に変換するための移動ビームと、容積型ポンプと、交互運動によって前記ポンプを駆動させるために、前記移動ビームを前記ポンプに接続しているロッド・ストリングとを有している、サッカーロッドポンピングシステムにおいて、
ａ）少なくとも１対の互いに逆の極性に着磁された磁石であって、前記ロッド・ストリングの一部を包囲するように、前記ロッド・ストリングの該一部を覆って長手方向に互いに連結されている、磁石と、
ｂ）前記ロッド・ストリングの交互運動を妨げないように、かつ原油と前記磁石との直接接触をなくすために、前記連結磁石を覆って前記ロッド・ストリングに対してシールされているスリーブであって、前記磁石は、前記ロッド・ストリングを超えて移動する原油を磁場に晒すようになっている、スリーブと、
をさらに備えていることを特徴とするサッカーロッドポンピングシステム。
【請求項１１】
地下貯留層から原油を引き出すためのサッカーロッドポンピングシステムであって、回転運動を生じさせるための原動機と、回転運動を交互運動に変換するための移動ビームと、前記地下貯留層に接続されているダウンチューブと、前記地下貯留層に隣接して前記ダウンチューブ内に位置している容積型ポンプと、交互運動によって前記ポンプを駆動させるために、前記移動ビームを前記ポンプに接続しているロッド・ストリングと、を有している、サッカーロッドポンピングシステムにおいて、
ａ）前記ダウンチューブの端末に隣接して、前記容積型ポンプを取り囲んでいるポンプバレルと、
ｂ）前記ポンプバレルに固定された磁石バレルであって、前記磁石バレルは、少なくとも１対の互いに逆の極性に着磁されている連結磁石を取り囲んでおり、前記連結磁石は、内部中空空間を形成しており、前記内部中空空間を通って、原油が流れるようになっている、磁石バレルと、
をさらに備えていることを特徴とするサッカーロッドポンピングシステム。
【請求項１２】
流体を磁場に晒すための方法において、
ａ）互いに逆の極性を有している少なくとも一整合対の希土類磁石を設けるステップであって、前記磁石の各々は、半径方向内側円弧面および半径方向外側円弧面を有しており、前記内側円弧面および前記外側円弧面は、長手方向において軸方向に延在しており、かつ横断方向において、前記内側円弧面および前記外側円弧面を互いに接続する平面を形成するように終端しており、前記磁石の各々は、その内側円弧面および外側円弧面が同一の極性を有すると共に、その１対の平面が前記円弧面と逆の極性を有するように、直径方向に帯磁されている、ステップと、
ｂ）前記少なくとも１対の磁石をそれらの互いに逆の極性に帯磁されている平面によって互いに連結させるステップと、
ｃ）前記連結磁石を超えて、流体を流すステップであって、これによって、前記流体を磁場に晒すことになる、ステップと、
を含んでいることを特徴とする方法。
【請求項１３】
前記流体は原油であり、前記希土類磁石はネオジウムを含んでおり、前記少なくとも１対の磁石をそれらの互いに逆の極性に帯磁されている平面によって互いに連結させる前記ステップは、一整合対の磁石を、油井内のダウンチューブ用のサッカーロッドポンピングシステム内のロッド・ストリングの一部を囲んで、配置させ、これによって、前記磁石を前記ロッド・ストリングを囲んで互いに連結させるステップを含んでおり、前記連結磁石を超えて、流体を流す前記ステップは、原油を地下貯留層から前記ダウンチューブを通して引き出すように、前記サッカーロッドポンピングシステムを運転することを含んでいることを特徴とする請求項１２に記載の方法。
【請求項１４】
前記磁石を金属スリーブ内に包み込み、前記スリーブを前記ロッド・ストリングに対してシールし、これによって、原油に対する前記磁石の直接接触をなくすことによって、原油に対する直接接触から前記磁石をシールするステップをさらに含んでいることを特徴とする請求項１３に記載の方法。
【請求項１５】
前記ダウンチューブを前記ロッド・ストリングに電気的に接続するステップをさらに含んでいることを特徴とする請求項１３に記載の方法。
【請求項１６】
前記ダウンチューブを前記ロッド・ストリングに電気的に接続する前記ステップは、前記ロッド・ストリングに沿った電荷の接地を排除するステップを含んでいることを特徴とする請求項１５に記載の方法。
【請求項１７】
前記流体は原油であり、前記希土類磁石はネオジオウムを含んでおり、前記少なくとも１対の磁石をそれらの互いに逆の極性に帯磁されている平面によって互いに連結させる前記ステップは、チューブの一部の内側に前記磁石を裏張りするステップを含んでおり、  前記連結磁石を超えて、流体を流す前記ステップは、前記チューブおよび前記磁石をサッカーロッドポンピングシステム用のポンプの前記ポンプバレルと流体連通して接続させ、前記磁石が裏張りされた前記チューブおよび前記ポンプバレルを通して、地下貯留層から原油を引き出すステップを含んでいることを特徴とする請求項１２に記載の方法。
【請求項１８】
前記磁石と前記原油との直接接触をなくすステップをさらに含んでいることを特徴とする請求項１７に記載の方法。
【請求項１９】
半径方向内側円弧面および半径方向外側円弧面を備えているネオジム磁石であって、前記内側円弧面および前記外側円弧面は、長手方向において軸方向に延在しており、かつ横断方向において、前記内側円弧面および前記外側円弧面を互いに接続する１対の平面を形成するように終端しており、前記磁石は、直径方向に帯磁されており、同一の極性の内側円弧面および外側円弧面を有すると共に、前記円弧面と逆の極性の１対の平面を有していることを特徴とするネオジム磁石。
【請求項２０】
前記磁石は、１対の磁石の１つであり、前記１対の磁石の各々は、互いに逆の極性に帯磁されていることを特徴とする請求項１９に記載の磁石。
【発明の詳細な説明】
【技術分野】
【０００１】
[関連出願の相互参照]
本出願は、２００７年１０月８日に米国特許商標庁に出願された米国仮特許出願第６０／９７８，３８７号に基づく優先権の利得を主張するものであり、参照することによって、その全体がここに含まれるものとする。
【０００２】
[発明の分野]
本発明は、流体を磁場に晒すための方法および装置、ならびに流体処理用の磁石に関する。さらに具体的には、本発明は、地下貯留層から原油を取り出すためのサッカーロッドポンピングに関連して用いられる装置、方法、および磁石に関する。
【背景技術】
【０００３】
サッカーロッドポンピングは、油井から原油を人為的に引き出すための長年にわたって確立された方法である。サッカーロッドポンピングシステムの部品、特に、地表下ポンプの地上部品を一般的に構成するホースヘッドおよび移動ビームは、一目で見分けがつくほど世界中に広まっている。地上部品は、通常、駆動動力をシステムに供給するための原動機、例えば、ガソリンエンジン、ディーゼルエンジン、または電動モータと、必要なトルクおよびポンピング速度を得るための歯車減速機と、回転運動を往復運動に変換するための機械的リンク機構、例えば、移動ビームと、移動ビームをサッカーロッド・ストリングに接続している研磨ロッドと、坑井内の流体を保つために研磨ロッドをシールしている「クリスマス・ツリー」と呼ばれることもある坑口装置であって、油を貯蔵用フローラインおよび処理用フローラインに取り出すためのポンピングツリーを含んでいる坑口装置と、を備えている。地下では、坑井機器は、例えば、坑穴ケーシングと、ケーシング内のチュービングであって、該チュービングを通して油が引き上げられるようになっているチュービングと、坑井チュービング内の中心に位置しているロッド・ストリングであって、研磨ロッドと地表下ポンプとの間に必要な機械的リンクをもたらすための互いに連結されたサッカーロッド片から構成されている、ロッド・ストリングと、移動ボール弁を備えているポンププランジャーであって、チュービング内の液体を取り上げるためにロッド・ストリングに直接接続されている、ポンププランジャーと、地表下ポンプの静止シリンダであるポンプバレルであって、上昇工程中にバレル内に液体を吸引するための固定ボール弁を含んでいる、ポンプバレルと、を備えている。
【０００４】
サッカーロッドポンプ運転において、坑井の流れおよび生産を妨げることがある固形物の沈澱をなくすかまたは遅らせるのを助長するために、磁石、例えば、希土類磁石が用いられることがある。磁場に晒すことによって、原油が冷却されるときに、原油からパラフィン、アスファルテン、および同様の固形物の沈澱を遅らせるかまたはなくすことができる。このような沈澱は、摩擦損失を生じさせる傾向にあり、これによって、応力がロッド・ストリング部品に加えられることがあり、または坑井の操業が中断されることがある。典型的には、これらの磁石は、長軸に沿って軸方向に磁化されており、その例として、生産チュービング内の流体を磁場に晒すために、一般的には生産チュービングの外面に配置される矩形状または円筒状の磁石が挙げられる。提案されているこれらの装置のなかには、大幅な改修を必要とし、油田における生産の要求に対して実際的な解決をもたらしていないものもある。
【０００５】
磁石は、場合によっては、オイルライン中のスケールおよび固形物の沈澱を低減するために、地上に配置されていることもある。また、磁石は、種々多様な流体調整装置、例えば、水、植物油、および他の流体を、典型的には、流体内の極性物質を配向させて流体から固形沈澱物を排除または低減させるかまたは流体から金属対象物を回収することを目的として、磁場に晒すための装置に関連して用いられている。例えば、磁石は、油井から金属汚染物を収集および除去するためにロッド・ストリングの端に配置されているが、これらのツールは、一般的に、油井から油を取り出すために用いられるものではない。
【発明の概要】
【発明が解決しようとする課題】
【０００６】
流体を磁場に晒すためのさらに効率的でかつ有用な方法および装置、例えば、既存の装置の大幅な改修を必要とせず、流体を高強度の磁場に晒すことができ、かつ既存の装置の運転を妨げることがない装置を開発することが望ましい。
【課題を解決するための手段】
【０００７】
本発明品は、流体が移動する流路に強力な磁場をもたらすものであり、大幅な改修を行うことなく、既存の機器に比較的容易に設置されるものである。本装置は、互いに逆の極性を有する少なくとも一整合対の互いに連結された希土類磁石を備えている。各磁石は、半径方向内向き円弧面および半径方向外向き円弧面を有しており、これらの円弧面は、長手方向において軸方向に延在しており、細長の半円筒形状をなしている。内側円弧面および外側円弧面は、横断方向において、内側円弧面を外面に接続する１対の平面を形成するように、終端している。各磁石は、その内面および外面が同一の極性を有するように、直径方向に帯磁されている。各磁石の１対の平面は、同一の極性を有しており、この極性は、円弧面の極性と逆になっている。この一整合対の磁石は、典型的には、それらの互いに逆の極性に帯磁されている面を磁場接触させることによって、互いに連結されている。
【０００８】
サッカーロッドポンピングシステムの場合、互いに逆の極性を有している直径方向に帯磁された整合組の磁石は、サッカーロッドステムまたはロッド本体と呼ばれることもあるサッカーロッドの小径部分を囲んで互いに連結されているとよい。磁石を超えて流れる油または他の流体は、強力な磁場を受けることになる。これらの磁石は、大幅な改修を行うことなく、サッカーロッドステム上に取り付けられることになる。典型的にはステンレス鋼からなる保護スリーブが、磁石を覆って配置されており、流体が磁石に接触しないように、サッカーロッドに対してシールされている。ステンレス鋼スリーブおよび磁石は、チュービング内の液量の損失を避けるために、かつサッカーロッドの上下運動への干渉を避けるために、サッカーロッドの（通常、サッカーロッド部分間の継手を含んでいる）最大径部分の直径を超えて延長しないようになっている。特に腐食性環境では、スリーブに対して、他の材料、例えば、チタンが選択されてもよい。
【０００９】
磁石は、ポンプおよびチュービング内に進入する前に流体を磁気的に処理するために、地表下ポンプの下方に配置されていてもよい。これらの磁石は、前述した構造と同様の構造を有しているが、ポンプバレルの直下に配置されているチュービング部分の内側に裏張りされるために、より大きい直径、具体的には、ポンプバレルの直径と同一となる直径を有しているとよい。これらの磁石は、磁場が半径方向内方に最も強く放出されるように、帯磁されている。一方、サッカーロッドに取り付けられている磁石は、磁場が半径方向外方に最も強く放出されるように、帯磁されている。ポンプの下方における磁石を含んでいるチュービングの部分は、「磁石バレル」と簡便に呼ばれることがある。ステンレス鋼スリーブが、磁石の内側に裏張りされ、流体と磁石との接触を排除するために、ポンプバレルの下方の磁石バレル部分の内径に対してシールされている。典型的には、磁石バレル部分は、ポンプバレルにネジ係合されており、磁場を通して流体をポンプバレル内に運ぶ同軸経路をもたらしている。
【００１０】
本発明の実施に関連して、強力なネオジム磁石または他の希土類磁石を用いることができる。ネオジム磁石は、典型的には、小量の鉄およびボロン（ホウ素）を含んでいる。強力でない磁石が用いられてもよいが、この場合、必ずしも同等の結果をもたらすとは限らない。これらの磁石は、望ましくは、丸いサッカーロッドステムおよび丸い磁石バレルの形状に合わせて、個別に、半円筒状に作製されているとよい。これらの磁石は、円筒形状に作製されてから、元の円筒状磁石の極性を維持するように半割にされたものではない。そうではなく、これらの磁石は、個別に作製されており、半割磁石の円弧面の各々が同一の極性を有し、用途が磁石表面の内方または外方のいずれに流体が流れるようになっているかによって、高強度の磁場が内方または外方に放出されるように、帯磁されている。円弧面を繋いでいる磁石の縁の平面は、円弧面の極性と逆の極性を有している。これらの磁石は、１つの磁石が１つの極性の両円弧面を有し、他の磁石が逆の極性の両円弧面を有している整合組として、対になって用いられるようになっている。これらの整合対の磁石の同じように互いに逆に帯磁されている平面は、強力な誘引力をもたらし、これによって、こられの磁石が互いに連結されるようになっている。
【００１１】
サッカーロッドポンピングシステムは、生産チュービング内のロッド・ストリング上の強力な希土類磁石の繰り返し上下運動によって、電位が生じることになる。本発明によれば、電解腐食を生じることがある静電放電を低減させるために、ロッド・ストリングと生産チュービングとの間に電気接続部が設けられている。
【００１２】
従って、本発明は、とりわけ、磁石の表面の殆どが１つの極性に帯磁されている著しい単極特性（monopolar character）を呈するように構成されている強力な希土類磁石が、ロッド・ストリングの運転を妨げることなく、かつ原油と直接接触することなく、ロッド・ストリングを取り囲んでいるサッカーロッドポンピングシステムを提供している。また、本発明は、ポンプバレルの下方に用いられる同様の磁石、および電位を抑制するための機構も提供している。
【００１３】
本発明を一般的な用語を用いて述べてきたが、以下、添付の図面について説明する。
【図面の簡単な説明】
【００１４】
【図１】本発明の実施形態を含んでいるサッカーロッドポンピングシステムの基本的な構成部品を概略的に示す図である。
【図２】サッカーロッドポンピングシステムのロッド・ストリング上またはポンプバレルの下方の磁石バレル内に用いられる形式の本発明による一整合対の磁石を示す図である。
【図３】サッカーロッドポンピングシステム内の生産チュービングの一部を部分的に分解して示す共に、生産チュービング内におけるロッド・ストリングの一部の上に装着されている本発明の磁石および包囲スリーブの部分縦断面を示す図である。
【図４】地下の坑穴ケーシングおよび（上から下に順に、ロッド・ストリングと、ポンプバレルと、ポンププランジャーと、移動ボール弁および固定ボール弁と、磁石バレルと、磁石と、磁石ライナーと、ガスアンカーと、を含む）同軸の生産チュービングを備えているサッカーロッドポンピングシステムの下端部の部分縦断面を示す図である。
【図５】（内側から外側に順に、サッカーロッドと、整合対の磁石と、磁石ライナーと、環状空間であって、該環状空間を通って流体が生産チュービング内を運ばれるようになっている環状空間と、生産チュービングと、生産チュービングが同軸に配置されている環状空間と、坑穴ケーシングと、を含む）サッカーロッドポンピングシステムの坑穴の図１の線５−５に沿った横断面を示す図である。
【図６】（内側から外側に順に、磁石バレル内の中心空間であって、該中心空間を通って流体がポンプに運ばれるようになっている、中心空間と、磁石ライナーと、整合対の磁石と、磁石バレルと、磁石バレルが配置されている環状空間と、坑穴ケーシングと、を含む）サッカーロッドポンピングシステムの坑孔の図１の線６−６に沿った横断面を示す図である。
【図７】図６の線７−７に沿った縦断面図である。
【発明を実施するための形態】
【００１５】
以下、本発明の全ての概念ではないが、一部の概念が示されている添付の図面を参照して、本発明をさらに十分に説明する。実際、本発明は、多くの異なる形態で実施されてもよく、ここに記載されている例に制限されると解釈されるべきではない。むしろ、この開示に設けられている実施形態は、適用可能な法的要件を満足させることを意図しているものである。
【００１６】
図１は、原動機の機能を果たし、回転運動を生じるようになっているモータ１２を有しているサッカーロッドポンピングシステムを総称的に１０で示している。地上部品の１つとして、モータ１２が挙げられるが、このモータ１２は、電気、ディーゼル燃料、ガソリン、または任意の他の動力源によって駆動可能となっている。歯車減速機１４が、回転速度を減速し、サッカーロッドポンピングシステムを駆動するのに必要なトルクをもたらすようになっている。歯車減速機は、平衡錘の付いたクランクアーム１５をサムソンポスト１８に取り付けられた移動ビーム１６に接続している。移動ビームは、サドル軸受１７を中心として上下に旋回し、原動機の回転運動をサッカーロッドポンピングシステムを駆動するための交互上下運動に変換するものである。ホースヘッド２０が、サッカーロッドポンピングシステムのロッド・ストリングの横方向応力を低減させるために、移動ビームを研磨ロッド２２に接続しており、これによって、ロッド・ストリングが直線状に上下運動することになる。コネクタ２４が、研磨ロッド２２をホースヘッドに付随しているハンガー２３に接続している。ハンガー２３は、研磨ロッドを垂直方位に維持するように、ホースヘッドの回転と共に移動するものである。「クリスマス・ツリー」と呼ばれることもある坑口装置２６は、図示されている地上アセンブリの端末をなし、流体を坑井内に保つために研磨ロッドに対して設けられたシール２８、および油を貯蔵用フローラインまたはさらなる処理用フローラインに取り出すために生産チュービング３２に連なっているポンピングツリー３０を備えている。坑穴ケーシング３４は、典型的には、生産チュービングの外側に溜まっている流体を取り出すための排出口３６を備えており、液体から分離して坑穴ケーシングと生産チュービングとの間の環状空間に溜まっているガスを取り出すための簡便な経路をもたらしている。
【００１７】
本発明による電気接続部が３８で示されている。この電気接続部は、同極性電荷が帯電しているロッド・ストリングコネクタ２４と生産チュービング３２との間に電気接続をもたらすものである。本発明の実施では、金属製の生産チュービング内において、以下に述べるような方法によって、強力な磁石が上下運動するようになっているが、これによって、電位が生じることになる。ロッド・ストリングおよび生産チュービングは、典型的には、負電荷を帯びており、生産チュービングを通って運ばれる流体は、正電気を帯びている。電気接続部３８は、システム内の電解腐食を実質的に低減させ、溶液内のパラフィンおよびアスファルテンを保持するのに役立つと共に、スケール堆積の生成を排除するかまたは少なくとも実質的に低減させると考えられるものである。
【００１８】
地下では、生産チュービング３２は、坑穴ケーシング３４内に同軸に装着され、地下深くに延在し、油層に達している。研磨ロッド２２は、サッカーロッド片４０からなるロッド・ストリングに接続されている。これらのサッカーロッド片４０は、生産チュービングの中心に延在しており、環状空間４１を形成し、この環状空間４１内を汲み上げられた流体が移動するようになっている。継手４２によって互いに連結されているサッカーロッド片は、地下ポンププランジャー４４と研磨ロッド２２との間に機械的リンクをもたらしている。サッカーロッド・ストリングは、必要に応じて、サッカーロッド片および継手を用いて、必要な長さに構成されることが可能である。１つ以上、典型的には、複数のサッカーロッド片が、以下に説明するような方法によって装着される本発明による磁石を備えているとよい。サッカーロッドの端末には、図示されているように、ポンププランジャー４４が装着されている。ポンププランジャー４４は、生産チュービングの端に取り付けられたポンプバレル４６内に装着されており、生産チュービングと同一の拡がりを有している。ポンプバレルは、磁石バレル４８にネジ止めされており、ガスアンカー５０が、ガスを液体から分離し、そのガスを生産チュービングの外側の環状空間に導くために、生産チュービングの端末に設けられているとよい。
【００１９】
他の構成が、サッカーロッドポンピングと、油を汲み出すための他の方法および装置に用いられてもよいことを認識されたい。本発明は、これらのいずれかと関連して、他の流体を処理するために用いられてもよい。サッカーロッドシステムの特定の例では、前述した磁石は、ロッドステムの周囲に配置されているが、他の流体処理構成では、磁石は、前述した磁石バレルにおけるように、パイプまたは他の流体導管の内側を覆って用いられていてもよいし、または内側に位置する流体が磁場に晒されるようになっている限り、パイプまたは導管を取り囲んで配置されていてもよい。
【００２０】
ここで、図２について説明する。図２は、本発明による一整合対の磁石５２，５４を総称的に５１で示している。これらの磁石は、典型的には、希土類金属から作製されており、ネオジウムからなる磁石は有用であり、強力な磁場または磁束をもたらすことが分かっている。図２に示されているように、磁石５２，５４は、それぞれ、半径方向内側円弧面５２Ａ，５４Ａおよび半径方向外側円弧面５２Ｂ，５４Ｂを有している。これらの円弧面は、円形断面のサッカーロッドと関連して用いられる半円形をなすように、湾曲されている。しかし、用途に依存して、他の円弧形状が用いられてもよい。これらの円弧面は、長手方向において軸方向に延在して、半円筒形状をなしている。これらの円弧面は、軸を横断する方向において終端し、これによって、内側円弧面を外側円弧面に接続する１対の平面５２Ｃ，５４Ｃが、それぞれ、磁石５２，５４に形成されている。
【００２１】
これらの磁石は、円筒として作製されてから、切断によって半割にされたものではなく、個別に作製され、高度の単極特性を呈するように磁化されたものである。図示されているように、磁石５２は、直径方向、すなわち、長軸と直交する方向に帯磁されており、内側円弧面５２Ａおよび外側円弧面５２Ｂの各々は、図２ではＮ極として示されている同一極性を有している。磁石５４は、直径方向に帯磁されており、内側円弧面５４Ａおよび外側円弧面５４Ｂの各々は、図２ではＳ極として示されている（磁石５２の極性とは逆の）同一極性を有している。磁石は、実際には、単極ではなく、各磁石の長手方向の平面は、同じ磁石の円弧面の極性と逆の極性を有している。すなわち、磁石５２は、Ｓ極を呈する平面５２Ｃを有しており、円弧面５２Ａ，５２Ｂは、Ｎ極である。同様に、磁石５４の平面５４Ｃは、Ｎ極を呈しており。円弧面５４Ａ，５４Ｂは、Ｓ極を呈している。従って、「整合（matched）という用語は、これらの磁石が対として一緒に用いられる状態を意味しており、各磁石は、高度の単極特性を有しており、互いに逆の極性を有している。
【００２２】
ロッド・ストリング内のサッカーロッドの小径部分の周囲に配置されると、一整合対の磁石の平面が互いに接触し、これらの磁石は、サッカーロッド・ストリングを囲んで互いに連結されることになる。ポンプバレルを含む金属チューブの内側に配置されると、一整合対の磁石の平面が互いに接触し、これらの磁石は、互いに連結されることになる。勿論、必要に応じて、磁場の強度が流体を良好に処理するのに十分である限り、これらの平面は、直接接触している必要がない。他の用途では、磁石は、流体を移動させるためのパイプまたは導管を取り囲むように配置されていてもよい。
【００２３】
図３は、サッカーロッドポンピングシステムの地下区域における１つのサッカーロッド片の周囲に配置された本発明の磁石を総称的に５６で示している。１フィートから数フィートの範囲内で長さを変更することができるサッカーロッド片４０は、大径端部４５で終端している。大径端部４５は、継手４２に取り付けられており、これによって、この図では示されていない他のサッカーロッド片に連結されている。互いに連結された複数のサッカーロッド片４０からなるロッド・ストリングは、図１に示されている。サッカーロッドは、生産チュービング３２の中心に配置されており、原油は、サッカーロッドと生産チュービングとの間の環状空間４１内を通って地下貯留層から地表に移動するようになっている。磁石の平面５２Ｃは、サッカーロッド片４０の小径部分に隣接して示されている。磁石に原油が接触すると、時間と共に磁石が損傷されることになるが、そのような磁石と原油との接触をなくすために、ステンレス鋼または他の適切な金属のジャケット５８が、磁石を包囲しており、例えば、溶接によって、サッカーロッドの大径部分４５に隣接してシールされている。保護ジャケットおよび磁石は、サッカーロッドと同軸に延在しているが、生産チュービング内におけるサッカーロッドの作動および地下貯留層から地表への油の取出しを妨げないために、継手４２および大径端部分４５の直径を超えて延長してはならないことに留意されたい。
【００２４】
ここで、図４について説明する。図４は、油層６２内の深地層６１におけるロッド・ストリングの終端部を総称的に６０で示している。坑穴ケーシング３４は、油層６２に隣接している多数のオリフィス６３を含んでいる。これらのオリフィス６３を通って、原油が坑穴ケーシングの最下端部に進入するようになっている。多くの場合、深地層の原油は、溶解ガスを含んでいる。このガスを液体から分離し、坑穴ケーシング３４と生産チュービング３２との間の環状空間を通して地表に導き、液体を生産チュービング３２の最下端部内に導くために、ガスアンカー５０が設けられているとよい。典型的には、ガスアンカーは、生産チュービングに連続しているポンプバレル６６の最下端部にネジ係合されている。本発明の実施において、ポンプ内の原油の流れを改良するために、ガスアンカー５０とポンプバレル６６との間に、磁石バレル４８を挿入することが可能となっている。磁石バレルは、ロッド・ストリング端末への設置を容易にするために、かつ改修要件を最小限に抑えるために、ネジ止めされている。磁石バレルには、図２に関連して説明したような一整合対の磁石５２，５４が、バレルの内側に裏張りされて装着されている。図２に示されている磁石５２の平面５２Ｃが、図４では断面で示されている。これらの磁石には、ステンレス鋼ジャケット５９が内張りされており、図３においてサッカーロッドと関連して説明したジャケット５８と同じように、油に接触しないようにシールされている。図２は、磁石の一般的形状を示すものであり、磁石バレル内に取り付けられている磁石５２，５４は、ロッド・ストリングのサッカーロッド片に取り付けられている磁石と異なる大きさを有しており、磁場の最大強度が、半径方向外方ではなく、半径方向内方に放出されるように帯磁されていることを認識されたい。
【００２５】
また、図４に示されているのは、移動ボール弁６８および静止ボール弁７０を備えているポンププランジャー４４である。これらのボール弁を介して、液体が、ガスアンカー５０から磁石バレル４８を通って生産チュービング３２に運ばれ、地表に移動するようになっている。ポンププランジャーは、サッカーロッド片４０によって上下に移動する容積型ポンプとして作用し、液体を生産チュービング内に引き込み、この液体を地表に汲み出すものである。
【００２６】
図５は、図１の線５−５に沿って切断された坑穴ケーシング３４の地下断面図であり、サッカーロッド４０に取り付けられた互いに連結されている状態の磁石５２，５４を示している。これらの磁石５２，５４は、ステンレス鋼ジャケット５８によってシールされており、生産チュービング３２と坑穴ケーシング３４との間に同軸に配置されている。磁石の平面が接触している箇所は、５２Ｃ／５４Ｃで示されている。磁石スリーブ５８と生産チュービング３２との間の環状空間内に示されている液体７５は、磁石５２，５４によってその全長に沿って半径方向外方に放出されている強力な磁束を受けることになる。２フィートのサッカーロッド片に好都合に取り付けられている公称２フィート長さの磁石が、本発明を実施するのに有効であることが分かっている。必要に応じて、複数のこのようなサッカーロッド片に適用されてもよい。
【００２７】
図６は、図１の線６−６に沿って切断した坑穴ケーシング３４の地下断面図であり、磁石バレル、すなわち、シリンダ４８の内壁に取り付けられた互いに連結されている状態の磁石５２，５４を示している。これらの磁石５２，５４は、ステンレス鋼ジャケット５９によってシールされており、坑穴ケーシング３４内に同軸に配置されている。磁石の平面が互いに接触している箇所は、５２Ｃ／５４Ｃで示されている。ステンレスジャケット５９によって画定されている領域内に示されている液体７５は、磁石５２，５４によってその全長に沿って半径方向外方に放出されている強力な磁束を受けることになり、ポンプに入る液体からスケールの堆積および固形物の沈澱を実質的に排除することができる。２フィートの磁石区域が、ポンプに入る流体を処理するのに有効であることが分かっている。
【００２８】
図７は、図６の線７−７に沿って切断した縦断面図であり、磁石バレル４８の構成部品をその長さに沿って断面で示すと共に、液体７５を通流させる２つの磁石部分５２，５４によって形成されている中空円筒を示している。
【００２９】
操業において、ロッド・ストリングは、疲労または破断することがあり、または他の施工を行うために、坑井の運転を中断し、ロッド・ストリングを坑穴から取り出すことが必要とされることがある。このような場合、ロッド・ストリングに、必要に応じて、本発明の磁石および前述した磁石バレルが装着された新しいサッカーロッド片を取り付けることが可能である。その後、このロッド・ストリングを再挿入し、坑井の運転を本発明に従って再開することができる。
【００３０】
前述の磁石は、地上における原油の磁気処理に関連して用いられてもよいし、種々の流体、例えば、水、植物油、液体脂、などに関連して用いられてもよく、本発明が原油の調整に制限されないことを認識されたい。磁石は、必要に応じて、導管に内張りすることによって、またはロッドを被覆することによって、内方または外方の流れに対して適応させることができる。
【図１】
2010540812.tif 000003
【図２】
2010540812.tif 000004
【図３】
2010540812.tif 000005
【図４】
2010540812.tif 000006
【図５】
2010540812.tif 000007
【図６】
2010540812.tif 000008
【図７】
2010540812.tif 000009
【手続補正書】
【提出日】平成22年1月8日(2010.1.8)
【手続補正１】
【補正対象書類名】明細書
【補正対象項目名】０００７
【補正方法】変更
【補正の内容】
【０００７】
本発明品は、流体が移動する流路に強力な磁場をもたらすものであり、大幅な改修を行うことなく、既存の機器に比較的容易に設置されるものである。本装置は、互いに逆の極性を有する少なくとも一整合対の互いに連結された希土類磁石を備えている。各磁石は、半径方向内向き円弧面および半径方向外向き円弧面を有しており、これらの円弧面は、長手方向において軸方向に延在しており、細長の半円筒形状をなしている。内側円弧面および外側円弧面は、横断方向において、内側円弧面を外面に接続する１対の平面を形成するように、終端している。各磁石は、その内面および外面が同一の極性を有するように、直径方向に帯磁されている。各磁石の１対の平面は、同一の極性を有しており、この極性は、円弧面の極性と逆になっている。少なくとも1対の互いに逆の極性に帯磁されている磁石は、典型的には、それらの互いに逆の極性に帯磁されている面を磁場接触させることによって、互いに連結されている。
【手続補正２】
【補正対象書類名】明細書
【補正対象項目名】００２３
【補正方法】変更
【補正の内容】
【００２３】
図３は、サッカーロッドポンピングシステムの地下区域における１つのサッカーロッド片の周囲に配置された本発明の磁石を総称的に５６で示している。１フィートから数フィート（０．３４８ｍ／フィート）の範囲内で長さを変更することができるサッカーロッド片４０は、大径端部４５で終端している。大径端部４５は、継手４２に取り付けられており、これによって、この図では示されていない他のサッカーロッド片に連結されている。互いに連結された複数のサッカーロッド片４０からなるロッド・ストリングは、図１に示されている。サッカーロッドは、生産チュービング３２の中心に配置されており、原油は、サッカーロッドと生産チュービングとの間の環状空間４１内を通って地下貯留層から地表に移動するようになっている。磁石の平面５２Ｃは、サッカーロッド片４０の小径部分に隣接して示されている。磁石に原油が接触すると、時間と共に磁石が損傷されることになるが、そのような磁石と原油との接触をなくすために、ステンレス鋼または他の適切な金属のジャケット５８が、磁石を包囲しており、例えば、溶接によって、サッカーロッドの大径部分４５に隣接してシールされている。保護ジャケットおよび磁石は、サッカーロッドと同軸に延在しているが、生産チュービング内におけるサッカーロッドの作動および地下貯留層から地表への油の取出しを妨げないために、継手４２および大径端部分４５の直径を超えて延長してはならないことに留意されたい。
【手続補正３】
【補正対象書類名】明細書
【補正対象項目名】００２４
【補正方法】変更
【補正の内容】
【００２４】
ここで、図４について説明する。図４は、油層６２内の深地層６１におけるロッド・ストリングの終端部を総称的に６０で示している。坑穴ケーシング３４は、油層６２に隣接している多数のオリフィス６３を含んでいる。これらのオリフィス６３を通って、原油が坑穴ケーシングの最下端部に進入するようになっている。多くの場合、深地層の原油は、溶解ガスを含んでいる。このガスを液体から分離し、坑穴ケーシング３４と生産チュービング３２との間の環状空間を通して地表に導き、液体を生産チュービング３２の最下端部内に導くために、ガスアンカー５０が設けられているとよい。典型的には、ガスアンカーは、生産チュービングに連続しているポンプバレル４６下端部にネジ係合されている。本発明の実施において、ポンプ内の原油の流れを改良するために、ガスアンカー５０とポンプバレル４６との間に、磁石バレル４８を挿入することが可能となっている。磁石バレルは、ロッド・ストリング端末への設置を容易にするために、かつ改修要件を最小限に抑えるために、ネジ止めされている。磁石バレルには、図２に関連して説明したような一整合対の磁石５２，５４が、バレルの内側に裏張りされて装着されている。図２に示されている磁石５２の平面５２Ｃが、図４では断面で示されている。これらの磁石には、ステンレス鋼ジャケット５９が内張りされており、図３においてサッカーロッドと関連して説明したジャケット５８と同じように、油に接触しないようにシールされている。図２は、磁石の一般的形状を示すものであり、磁石バレル内に取り付けられている磁石５２，５４は、ロッド・ストリングのサッカーロッド片に取り付けられている磁石と異なる大きさを有しており、磁場の最大強度が、半径方向外方ではなく、半径方向内方に放出されるように帯磁されていることを認識されたい。
【手続補正４】
【補正対象書類名】明細書
【補正対象項目名】００２６
【補正方法】変更
【補正の内容】
【００２６】
図５は、図１の線５−５に沿って切断された坑穴ケーシング３４の地下断面図であり、サッカーロッド４０に取り付けられた互いに連結されている状態の磁石５２，５４を示している。これらの磁石５２，５４は、ステンレス鋼ジャケット５８によってシールされており、生産チュービング３２と坑穴ケーシング３４との間に同軸に配置されている。磁石の平面が接触している箇所は、５２Ｃ／５４Ｃで示されている。磁石スリーブ５８と生産チュービング３２との間の環状空間内に示されている液体７５は、磁石５２，５４によってその全長に沿って半径方向外方に放出されている強力な磁束を受けることになる。２フィート（０．６ｍ）のサッカーロッド片に好都合に取り付けられている公称２フィート（０．６ｍ）長さの磁石が、本発明を実施するのに有効であることが分かっている。必要に応じて、複数のこのようなサッカーロッド片に適用されてもよい。
【手続補正５】
【補正対象書類名】明細書
【補正対象項目名】００２７
【補正方法】変更
【補正の内容】
【００２７】
図６は、図１の線６−６に沿って切断した坑穴ケーシング３４の地下断面図であり、磁石バレル、すなわち、シリンダ４８の内壁に取り付けられた互いに連結されている状態の磁石５２，５４を示している。これらの磁石５２，５４は、ステンレス鋼ジャケット５９によってシールされており、坑穴ケーシング３４内に同軸に配置されている。磁石の平面が互いに接触している箇所は、５２Ｃ／５４Ｃで示されている。ステンレスジャケット５９によって画定されている領域内に示されている液体７５は、磁石５２，５４によってその全長に沿って半径方向内方に放出されている強力な磁束を受けることになり、ポンプに入る液体からスケールの堆積および固形物の沈澱を実質的に排除することができる。２フィート（０．６ｍ）の磁石区域が、ポンプに入る流体を処理するのに有効であることが分かっている。
【手続補正６】
【補正対象書類名】特許請求の範囲
【補正対象項目名】全文
【補正方法】変更
【補正の内容】
【特許請求の範囲】
【請求項１】
流れている流体を磁気的に処理するための装置において、互いに逆の極性を有している少なくとも一整合対の互いに連結された希土類磁石（５２，５４）を備えており、前記磁石の各々は、半径方向内側円弧面および半径方向外側円弧面（それぞれ、５２Ａ，５２Ｂ；５４Ａ，５４Ｂ）を有しており、前記内側円弧面および前記外側円弧面は、長手方向において軸方向に延在しており、かつ横断方向において、前記内側円弧面を前記外側円弧面に接続する１対の平面（５２Ｃ，５４Ｃ）を形成するように終端しており、前記磁石の各々（５２，５４）は、その内側円弧面および外側円弧面（それぞれ、５２Ａ，５２Ｂ；５４Ａ，５４Ｂ）が同一の極性（５２Ａ，５２Ｂ−Ｎ；５４Ａ，５４Ｂ−Ｓ）を有すると共に，その１対の平面（５２Ｃ，５４Ｃ）が、同一の極性であるが、前記円弧面と逆の極性（５２Ｃ−Ｓ；５４Ｃ−Ｎ）を有するように、直径方向に着磁されており、前記１対の磁石（５２，５４）は、前記互いに逆の極性に帯磁されている平面（５２Ｃ，５４Ｃ）を合わせることによって、互いに連結されており、これによって、前記１対の連結磁石に対して流れる流体が、磁場に晒されるようになっていることを特徴とする装置。
【請求項２】
前記希土類磁石は、ネオジウムを含んでいることを特徴とする請求項１に記載の装置。
【請求項３】
前記連結磁石は、中空円筒を形成しており、流体が、前記円筒の内方または外方を流れるようになっていることを特徴とする請求項１に記載の装置。
【請求項４】
流れている流体は、原油、精油、植物油、および水からなる群から選択されるようになっていることを特徴とする請求項１に記載の装置。
【請求項５】
流体を流すための導管（３２）であって、前記少なくとも１対の連結磁石（５２，５４）を取り囲んで、前記磁石との間に環状空間（４１）を形成しており、前記環状空間を通って、流体が前記１対の磁石の外方を流れるようになっている、導管（３２）をさらに備えていることを特徴とする請求項１に記載の装置。
【請求項６】
前記導管（３２）内を移動するサッカーロッド（４０）を有しているサッカーロッドポンピングシステム（１０）をさらに備えており、前記１対の磁石（５２，５４）は、前記サッカーロッドを囲んで互いに連結されていることを特徴とする請求項５に記載の装置。
【請求項７】
ステンレス鋼ジャケット（５８）であって、前記サッカーロッド（４０）上の前記１対の磁石（５２，５４）を取り囲んで、流体と前記磁石との接触をなくすために、前記サッカーロッドに対してシールされている、ステンレス鋼ジャケット（５８）をさらに備えていることを特徴とする請求項６に記載の装置。
【請求項８】
少なくとも1対の磁石（５２，５４）を取り囲んでいる、流体を流すための磁石バレル（４８）をさらに備えており、前記磁石は、前記磁石バレルの内面の周りに互いに連結されて、内部中空空間を画定しており、前記内部中空空間を通って、流体が前記１対の磁石の内方を流れるようになっていることを特徴とする請求項１に記載の装置。
【請求項９】
前記装置は、ポンプバレル（４６）を備えているサッカーロッドポンピングシステム（１０）をさらに有しており、前記磁石バレル（４８）は、前記ポンプバレルの下方に位置しており、前記装置は、前記１対の磁石の内方を取り囲んでいるステンレス鋼ジャケット（５９）であって、流体と前記磁石との接触をなくすために、前記磁石バレルに対してシールされている、ステンレス鋼ジャケット（５９）をさらに備えていることを特徴とする請求項８に記載の装置。
【請求項１０】
地下貯留層から原油を引き出すためのサッカーロッドポンピングシステム（１０）であって、回転運動を生じさせるための原動機（１２）と、回転運動を交互運動に変換するための移動ビーム（１６）と、容積型ポンプ（４４）と、交互運動によって前記ポンプを駆動させるために、前記移動ビームを前記ポンプに接続しているロッド・ストリング（４０）とを有している、サッカーロッドポンピングシステム（１０）において、
ａ）少なくとも１対の互いに逆の極性に着磁された磁石（５２，５４）であって、前記ロッド・ストリング（４０）の一部を包囲するように、前記ロッド・ストリングの該一部を覆って長手方向に互いに連結されている、磁石（５２，５４）と、
ｂ）前記ロッド・ストリング（４０）の交互運動を妨げないように、かつ原油と前記磁石との直接接触をなくすために、前記連結磁石（５２，５４）を覆って前記ロッド・ストリングに対してシールされているスリーブ（５８）であって、前記磁石は、前記ロッド・ストリングを超えて移動する原油を磁場に晒すようになっている、スリーブ（５８）と、
をさらに備えていることを特徴とするサッカーロッドポンピングシステム（１０）。
【請求項１１】
地下貯留層から原油を引き出すためのサッカーロッドポンピングシステム（１０）であって、回転運動を生じさせるための原動機（１２）と、回転運動を交互運動に変換するための移動ビーム（１６）と、前記地下貯留層に接続されているダウンチューブ（３２）と、前記地下貯留層（６２）に隣接して前記ダウンチューブ内に位置している容積型ポンプ（４４）と、交互運動によって前記ポンプを駆動させるために、前記移動ビームを前記ポンプに接続しているロッド・ストリング（４０）と、を有している、サッカーロッドポンピングシステム（１０）において、
ａ）前記ダウンチューブ（３２）の端末に隣接して、前記容積型ポンプ（４４）を取り囲んでいるポンプバレル（４６）と、
ｂ）前記ポンプバレル（４６）に固定された磁石バレル（４８）であって、前記磁石バレルは、少なくとも１対の互いに逆の極性に着磁されている連結磁石（５２，５４）を取り囲んでおり、前記連結磁石は、内部中空空間を形成しており、前記内部中空空間を通って、原油が流れるようになっており、前記磁石の各々は、半径方向内側円弧面および半径方向外側円弧面（それぞれ、５２Ａ，５２Ｂ；５４Ａ，５４Ｂ）を有しており、前記内側円弧面および前記外側円弧面は、長手方向において軸方向に延在しており、かつ横断方向において、前記内側円弧面を前記外側円弧面に接続する１対の平面（５２Ｃ，５４Ｃ）を形成するように終端しており、前記磁石の各々（５２，５４）は、その内側円弧面および外側円弧面（それぞれ、５２Ａ，５２Ｂ；５４Ａ，５４Ｂ）が同一の極性（５２Ａ，５２Ｂ−Ｎ；５４Ａ，５４Ｂ−Ｓ）を有すると共に，その１対の平面（５２Ｃ，５４Ｃ）が、同一の極性であるが、前記円弧面と逆の極性（５２Ｃ−Ｓ；５４Ｃ−Ｎ）を有するように、直径方向に着磁されており、前記１対の磁石（５２，５４）は、前記互いに逆の極性に帯磁されている平面（５２Ｃ，５４Ｃ）を合わせることによって、互いに連結されており、これによって、前記１対の連結磁石に対して流れる流体が、磁場に晒されるようになっている、磁石バレル（４８）と、
をさらに備えていることを特徴とするサッカーロッドポンピングシステム（１０）。
【請求項１２】
流体を磁場に晒すための方法において、
ａ）互いに逆の極性を有している少なくとも一整合対の希土類磁石（５２，５４）を設けるステップであって、前記磁石の各々は、半径方向内側円弧面および半径方向外側円弧面（それぞれ、５２Ａ，５２Ｂ；５４Ａ，５４Ｂ）を有しており、前記内側円弧面および前記外側円弧面は、長手方向において軸方向に延在しており、かつ横断方向において、前記内側円弧面および前記外側円弧面を互いに接続する平面（５２Ｃ，５４Ｃ）を形成するように終端しており、前記磁石の各々は、その内側円弧面および外側円弧面が同一の極性を有すると共に、その１対の平面が前記円弧面と逆の極性を有するように、直径方向に帯磁されている、ステップと、
ｂ）前記少なくとも１対の磁石（５２，５４）をそれらの互いに逆の極性に帯磁されている平面（５２Ｃ，５４Ｃ）によって互いに連結させるステップと、
ｃ）前記連結磁石を超えて、流体を流すステップであって、これによって、前記流体を磁場に晒すことになる、ステップと、
を含んでいることを特徴とする方法。
【請求項１３】
前記流体は原油であり、前記希土類磁石（５２，５４）はネオジウムを含んでおり、前記少なくとも１対の磁石（５２，５４）をそれらの互いに逆の極性に帯磁されている平面（５２Ｃ，５４Ｃ）によって互いに連結させる前記ステップは、一整合対の磁石を、油井内のダウンチューブ（３２）用のサッカーロッドポンピングシステム（１０）内のロッド・ストリング（４０）の一部を囲んで配置させ、これによって、前記磁石を前記ロッド・ストリングを囲んで互いに連結させるステップを含んでおり、前記連結磁石を超えて、流体を流す前記ステップは、原油を地下貯留層から前記ダウンチューブを通して引き出すように、前記サッカーロッドポンピングシステムを運転することを含んでいることを特徴とする請求項１２に記載の方法。
【請求項１４】
前記磁石（５２，５４）を金属スリーブ（５８）内に包み込み、前記スリーブを前記ロッド・ストリング（４０）に対してシールし、これによって、原油に対する前記磁石の直接接触をなくすことによって、原油に対する直接接触から前記磁石をシールするステップをさらに含んでいることを特徴とする請求項１３に記載の方法。
【請求項１５】
前記ダウンチューブ（３２）を前記ロッド・ストリング（４０）に電気的に接続するステップをさらに含んでいることを特徴とする請求項１３に記載の方法。
【請求項１６】
前記ダウンチューブ（３２）を前記ロッド・ストリング（４０）に電気的に接続する前記ステップは、前記ロッド・ストリングに沿った電荷の接地を排除するステップを含んでいることを特徴とする請求項１５に記載の方法。
【請求項１７】
前記流体は原油であり、前記希土類磁石（５２，５４）はネオジオウムを含んでおり、前記少なくとも１対の磁石をそれらの互いに逆の極性に帯磁されている平面（５２Ｃ，５４Ｃ）によって互いに連結させる前記ステップは、金属バレル（４８）の一部の内側に前記磁石（５２Ａ，５２Ｂ）を裏張りするステップを含んでおり、前記連結磁石を超えて、流体を流す前記ステップは、前記磁石バレル（４８）および前記磁石（５２，５４）をサッカーロッドポンピングシステム（１０）用のポンプ（４４）の前記ポンプバレル（４６）と流体連通して接続させ、前記磁石（５２，５４）が裏張りされた前記磁石バレル（４８）および前記ポンプバレル（４６）を通して、地下貯留層から原油を引き出すステップを含んでいることを特徴とする請求項１２に記載の方法。
【請求項１８】
前記磁石（５２，５４）と前記原油との直接接触をなくすステップをさらに含んでいることを特徴とする請求項１７に記載の方法。
【請求項１９】
半径方向内側円弧面および半径方向外側円弧面（５２Ａ，５２Ｂ）を備えているネオジム磁石（５２）であって、前記内側円弧面および前記外側円弧面は、長手方向において軸方向に延在しており、かつ横断方向において、前記内側円弧面および前記外側円弧面を互いに接続する１対の平面（５２Ｃ）を形成するように終端しており、前記磁石は、直径方向に帯磁されており、同一の極性Ｎの内側円弧面および外側円弧面を有すると共に、前記円弧面と逆の極性Ｓの１対の平面（５２Ｃ）を有していることを特徴とするネオジム磁石（５２）。
【請求項２０】
前記磁石（５２）は、１対の磁石（５２，５４）の１つであり、前記１対の磁石の各々は、互いに逆の極性に帯磁されていることを特徴とする請求項１９に記載の磁石（５２）。
【国際調査報告】
2010540812.tif 000010
2010540812.tif 000011
2010540812.tif 000012
2010540812.tif 000013
2010540812.tif 000014